(57)【要約】【課題】  連結環を介してボトムコードをバランスウェイトに連結する構成としながら、ボトムコードを踏みつけた場合に、バランスウェイトとの連結部分の損傷を防止し得る縦型ブラインドのバランスウェイトを提供する。【解決手段】  ケース９に、下方に向かって延びる第一の爪１２と該第一の爪１２に向かって延びる第二の爪１３を形成して支持孔を形成し、第二の爪１３の先端と第一の爪１２との間隙を連結環１４の径より小さくし、第二の爪１３の上面に第一の爪１２に向かって上昇する斜面部１７を備えて、第二の爪１３の上面に支持された連結環１４に下方への力が作用したとき、ケース９の傾きにより連結環１４を第二の爪１３から第一の爪１２に移動可能とし、第一の爪１２は連結環１４に作用する下方への力に基づいて、間隙から連結環１４を脱落させる可撓性を備えた。【選択図】      図６
2006249783.tif 000002
【特許請求の範囲】
【請求項１】
スラットの下端に取着されたバランスウェイトのケースに第一及び第二の爪を一体に形成し、前記第一及び第二の爪で形成される支持孔に、ボトムコードに取着した連結環を挿通して、前記バランスウェイトを前記ボトムコードで連結した縦型ブラインドにおいて、
前記ケースに、下方に向かって延びる第一の爪と該第一の爪に向かって延びる第二の爪を形成して前記支持孔を形成し、前記第二の爪の先端と第一の爪との間隙を前記連結環の径より小さくし、前記第二の爪の上面に前記第一の爪に向かって上昇する斜面部を備えて、前記第二の爪の上面に支持された連結環に下方への力が作用したとき、前記ケースの傾きにより前記連結環を前記第二の爪から第一の爪に移動可能とし、前記第一の爪は前記連結環に作用する下方への力に基づいて、前記間隙から前記連結環を脱落させる可撓性を備えたことを特徴とする縦型ブラインドのバランスウェイト。
【請求項２】
前記第一及び第二の爪は、前記ケースの上下方向中央部より上方に設けたことを特徴とする請求項１記載の縦型ブラインドのバランスウェイト。
【請求項３】
前記第二の爪の基端部上面に水平部を設け、先端部上面に前記斜面部を設けたことを特徴とする請求項１又は２記載の縦型ブラインドのバランスウェイト。
【請求項４】
前記斜面部は、前記水平部に対し、２０度〜４０度の範囲の角度で立ち上がることを特徴とする請求項３記載の縦型ブラインドのバランスウェイト。
【請求項５】
前記バランスウェイトは、前記ケースの上縁部に前記スラットを挿通可能とした挿通孔を備え、該挿通孔に挿通したスラットで前記ケースの外面を覆い、該スラットの下端をケース間に挟着可能としたことを特徴とする請求項１乃至４のいずれか１項に記載の縦型ブラインドのバランスウェイト。
【発明の詳細な説明】
【技術分野】
【０００１】
この発明は、縦型ブラインドのスラットの下端に吊下支持されるバランスウェイトに関するものである。
【背景技術】
【０００２】
縦型ブラインドは、ハンガーレールから多数枚のスラットが吊下支持され、操作装置の操作により各スラットをハンガーレールに沿って移動操作可能であり、かつ回動操作可能となっている。
【０００３】
各スラットの下端部にはそれぞれバランスウェイトが取着され、且つ各バランスウェイトはボトムコードで等間隔となるように連結されている。このようなバランスウェイト及びボトムコードにより、各スラットの無用な揺動を防止するようになっている。
【０００４】
特許文献１，２には、縦型ブラインドのバランスウェイトをボトムコードで連結する構成が開示されている。
【特許文献１】実公平１−３１７５９号公報
【特許文献２】特許０３０３７５７１号公報
【発明の開示】
【発明が解決しようとする課題】
【０００５】
特許文献１に記載された構成では、バランスウェイトの両端部に上方に開口した鉤部が形成され、その鉤部に連結環を介してボトムコードが掛装されている。このような構成では、居住者が誤ってボトムコードを踏みつけた場合、鉤部若しくはボトムコードが損傷するという問題点がある。
【０００６】
また、特許文献２に記載された構成では、ボトムコードを踏みつけた場合には、連結具がバランスウェイトから外れるため、連結部分の損傷が防止される。しかし、ボトムコードに連結具を一体に成形する必要があるとともに、連結具を嵌合するための取付け具をバランスウェイトに一体に成形する必要があるため、連結環を介してボトムコードをバランスウェイトに取着する通常の構成に比して、コストが上昇するという問題点がある。
【０００７】
この発明の目的は、ボトムコードを連結環を介してバランスウェイトに連結する構成としながら、ボトムコードを踏みつけた場合に、バランスウェイトとの連結部分の損傷を防止し得る縦型ブラインドのバランスウェイトを提供することにある。
【課題を解決するための手段】
【０００８】
請求項１では、スラットの下端に取着されたバランスウェイトのケースに第一及び第二の爪を一体に形成し、前記第一及び第二の爪で形成される支持孔に、ボトムコードに取着した連結環を挿通して、前記バランスウェイトを前記ボトムコードで連結した縦型ブラインドにおいて、前記ケースに、下方に向かって延びる第一の爪と該第一の爪に向かって延びる第二の爪を形成して前記支持孔を形成し、前記第二の爪の先端と第一の爪との間隙を前記連結環の径より小さくし、前記第二の爪の上面に前記第一の爪に向かって上昇する斜面部を備えて、前記第二の爪の上面に支持された連結環に下方への力が作用したとき、前記ケースの傾きにより前記連結環を前記第二の爪から第一の爪に移動可能とし、前記第一の爪は前記連結環に作用する下方への力に基づいて、前記間隙から前記連結環を脱落させる可撓性を備えた。
【０００９】
請求項２では、前記第一及び第二の爪は、前記ケースの上下方向中央部より上方に設けた。
請求項３では、前記第二の爪の基端部上面に水平部を設け、先端部上面に前記斜面部を設けた。
【００１０】
請求項４では、前記斜面部は、前記水平部に対し、２０度〜４０度の範囲の角度で立ち上がるようにした。
請求項５では、前記バランスウェイトは、前記ケースの上縁部に前記スラットを挿通可能とした挿通孔を備え、該挿通孔に挿通したスラットで前記ケースの外面を覆い、該スラットの下端をケース間に挟着可能とした。
【発明の効果】
【００１１】
本発明によれば、連結環を介してボトムコードをバランスウェイトに連結する構成としながら、ボトムコードを踏みつけた場合に、バランスウェイトとの連結部分の損傷を防止し得る縦型ブラインドのバランスウェイトを提供することができる。
【発明を実施するための最良の形態】
【００１２】
以下、この発明を具体化した一実施の形態を図面に従って説明する。図１に示す縦型ブラインドは、ハンガーレール１内に多数のランナー２が移動可能に支持され、各ランナー２からスラット３が回動可能に支持されている。
【００１３】
前記ハンガーレール１の一端には、操作コード４，５が垂下されている。操作コード４の操作に基づいてハンガーレール１内の螺旋軸６が回転されて、先頭ランナー２ａがハンガーレール１内を移動するようになっている。そして、先頭ランナー２ａの移動にともなって後続のランナー２が移動して、各スラット３の引き出し操作あるいは畳み込み操作が行われる。
【００１４】
また、操作コード５の操作に基づいて、ハンガーレール１内の角度調節軸が回転され、各ランナー２内のウォーム機構を介して各スラット３が同位相で角度調節されるようになっている。
【００１５】
各スラット３の下端部にはそれぞれバランスウェイト７が取着され、各バランスウェイト７はボトムコード８で等間隔に連結されている。前記バランスウェイト７は、図２に示すように、そのケース９が下端部を回動支点として折りたたみ可能に形成され、そのケース９内に錘板が収容される。ケース９は合成樹脂で形成され、その上端部にはスラット３を挿通するための挿通孔１０が形成されている。
【００１６】
そして、挿通孔１０に挿通したスラット３でケース９の外面を覆い、そのスラット３の端部をケース内に挟み込むことにより、バランスウェイト７がスラット３の下端部に保持されている。
【００１７】
前記ケース９の上縁部は、前記スラット３の幅より僅かに幅広に形成され、その幅広部１１の両側に前記ボトムコード８が取着されている。図３及び図４に示すように、幅広部１１には下方に向かって延びる第一の爪１２が形成され、その第一の爪１２の先端部はケース９の側縁に向かって斜めに突出している。
【００１８】
前記第一の爪１２の中間部に対応する位置において、前記ケース９の側縁には第一の爪１２に向かって斜め上方に延びる第二の爪１３が形成されている。第二の爪１３の上面は、水平方向に伸びた後、約３０度の角度で斜め上方に向かって延びている。
【００１９】
前記ボトムコード８には、金属線を折り曲げて形成した連結環１４が取着され、その連結環１４が第一の爪１２と第二の爪１３との間隙から同爪１２，１３とケース９間に形成される支持孔１５内に挿入されて、常には第二の爪１３に吊下支持されている。
【００２０】
前記第一の爪１２と第二の爪１３との間隙は、連結環１４の径より僅かに狭くなるように形成され、第一の爪１２を外側へ撓ませながら連結環１４を押し込むことにより、連結環１４を支持孔１５内に挿入可能である。
【００２１】
従って、連結環１４を支持孔１５内に押し込んで第二の爪１３に引っ掛けることにより、ボトムコード８がバランスウェイト７に吊下支持される。このとき、連結環１４は第二の爪１３の上面の水平部１６上に位置し、わずかに斜面部１７に当接している。また、連結環１４の吊下位置は、ケース９の上縁から同ケース９の高さ寸法の１／３程度下がった位置である。
【００２２】
このようにしてボトムコード８が連結されたバランスウェイト７を備えた縦型ブラインドでは、居住者によりボトムコード８が踏みつけられると、連結環１４が下方へ引っ張られるため、図４及び図５に示すように、バランスウェイト７が傾き、連結環１４は第二の爪１３から第一の爪１２上へ移動する。すると、図６に示すように、第一の爪１２が撓んで、第一の爪１２と第二の爪１３との間隙が拡大され、連結環１４が支持孔１５から脱落する。
【００２３】
また、支持孔１５から脱落した連結環１４を支持孔１５内に挿入し直せば、バランスウェイト７が再びボトムコード８で連結される。
上記のように構成された縦型ブラインドのバランスウェイトでは、次に示す作用効果を得ることができる。
（１）居住者がボトムコード８を踏みつけたとき、連結環１４がバランスウェイト７のケース９から脱落するので、ボトムコード８とケース９の連結部分の損傷を防止することができる。
（２）第一及び第二の爪１２，１３は、ケース９と一体に成形することができる。また、ボトムコード８及び連結環１４は従来品と同一のものを使用可能である。従って、製造コストを上昇させることはない。
（３）第二の爪１３の上面には、水平部１６と斜面部１７を設けたことにより、通常時には連結環１４を水平部１６で保持して、連結環１４の無用な脱落を防止することができる。
（４）ボトムコード８が踏みつけられて、図５に示すようにケース９が傾くと、斜面部１７により連結環１４を第一の爪１２と第二の爪１３との間隙部分に案内することができる。従って、ボトムコード８が踏みつけられたとき、第一の爪１２を撓ませて連結環１４を確実に脱落させることができる。
（５）ケース９が傾くとき、スラット３がケース９に対し捩れるが、ケース９が傾いた瞬間にボトムコード８が脱落するので、スラット３の捩れは軽微であり、原位置に容易に復帰させることができる。
（６）第二の爪１３をケース９の上下方向中央部より上方に設けたので、ボトムコード８に下方への力が作用したとき、ケース９を確実に傾かせることができる。
【００２４】
上記実施の形態は、以下の態様で実施してもよい。
・スラットをバランスウェイトのケースの周囲に巻きつけることなく、スラットの下端部をケースで挟んで同ケースを吊下支持するバランスウェイトにも応用可能である。
・第二の爪１３の斜面部１７は、水平部１６に対し２０度〜４０度の範囲で立ち上がる斜面としてもよい。
・第二の爪１３の上面は、斜面部のみとしてもよい。
【図面の簡単な説明】
【００２５】
【図１】縦型ブラインドを示す正面図である。
【図２】バランスウェイトを示す斜視図である。
【図３】ケースとボトムコードの連結部分を示す正面図である。
【図４】ケースが傾いた状態の連結部分を示す正面図である。
【図５】バランスウェイトが傾いた状態を示す正面図である。
【図６】ボトムコードがケースから脱落した状態を示す正面図である。
【符号の説明】
【００２６】
１          ハンガーレール
２          ランナー
３          スラット
５          チルト軸
７          バランスウェイト
８          ボトムコード
９          ケース
１２        第一の爪
１３        第二の爪
１４        連結環
１６        水平部
１７        斜面部
【図１】
2006249783.tif 000003
【図２】
2006249783.tif 000004
【図３】
2006249783.tif 000005
【図４】
2006249783.tif 000006
【図５】
2006249783.tif 000007
【図６】
2006249783.tif 000008